(57)【要約】      （修正有）【課題】高い気密性を安定して確保できるとともに、障子の開閉力の軽減を図ることができ、尚且つ障子に付着した水滴が中空状シール部の下面をつたって横枠のタイト材ホルダー内部に滲み込むことを防止できる横タイト材の提供。【解決手段】横枠３室外側面に固定する基部１３ａと、基部の室外側に設けた中空状シール部１３ｂとを備え、中空状シール部は、竪タイト材１１の端面が当接する竪タイト材当接壁１３ｃと、基部から横枠見込み面２３と離間する方向に傾斜して突出し且つ横枠見込み面対向壁１３ｄと、竪タイト材当接壁と横枠見込み面対向壁を繋ぎ且つ上下方向略中央部が室外側に膨らむ室外側壁１３ｅとを有し、タイト材の内壁に溝１３ｈを設けてあり、障子横框８ａ，８ｂに圧接したときに室外側壁の上下方向略中央部が谷部１３ｇとなり障子横框と非接触状態となると共に基部に接近する。【選択図】図１
2006225882.tif 000002
【特許請求の範囲】
【請求項１】
横枠室外側面に固定する基部と、基部の室外側に設けた中空状シール部とを備え、中空状シール部は、基部から略水平に突出し且つ竪枠に固定した竪タイト材の端面が当接する竪タイト材当接壁と、基部から横枠見込み面と離間する方向に傾斜して突出し且つ横枠見込み面と間隔をおいて対向する横枠見込み面対向壁と、竪タイト材当接壁と横枠見込み面対向壁を繋ぎ且つ上下方向略中央部が室外側に膨らむ室外側壁とを有し、室外側壁の内壁の上下方向略中央部と、室外側壁と竪タイト材当接壁のコーナーにおける内壁と、室外側壁と横枠見込み面対向壁のコーナーにおける内壁とに長手方向に溝を設けてあり、障子横框に圧接したときに室外側壁の上下方向略中央部が谷部となり障子横框と非接触状態となると共に基部に接近することを特徴とする横タイト材。
【請求項２】
基部は、横枠見込み面対向壁の付け根より下方に水切り部を有していることを特徴とする請求項１記載の横タイト材。
【発明の詳細な説明】
【技術分野】
【０００１】
本発明は、サッシ窓の横枠と障子横框との間の隙間を塞ぐ横タイト材に関するものである。
【背景技術】
【０００２】
引き違いサッシでは、内外の障子の召し合せ框の間、竪枠と障子の戸先框の間、横枠と障子の横框の間にそれぞれタイト材を設け、窓の気密性や水密性の向上を図っている。横枠に設けられる横タイト材は、特許文献１に記載されているように、横枠に設けた溝状のタイト材ホルダーに取付けられる基部と、基部の室外側に設けたかまぼこ形の中空状シール部を備え、障子閉鎖時には中空状シール部が押し潰されて障子室内側面に面接触する。
【０００３】
上記従来の横タイト材にあっては、中空状シール部の変形量を大きく設定すれば、中空状シール部が障子室内側面に強く圧接して気密性や遮音性が向上するが、その一方で中空状シール部と障子室内側面との摩擦が大きくなるために、障子の開閉が重くなる不都合がある。また、タイト材が硬く、変形量が小さいと、障子の建込みのずれによりタイト材が緩く当たったり、きつく当たったりすることがあり、気密性等の性能が不安定になる。また従来の横タイト材は、中空状シール部の下面がまっすぐで且つその室内側端部が横枠のタイト材ホルダーに当接しているので、障子に付着した水滴が中空状シール部の下面をつたって横枠のタイト材ホルダー内部に滲み込み、タイト材ホルダーから室内側に水が溢れ出ることがあった。
【特許文献１】特開平８−１５１８６９号公報
【発明の開示】
【発明が解決しようとする課題】
【０００４】
本発明は以上に述べた実情に鑑み、高い気密性を安定して確保できるとともに、障子の開閉力の軽減を図ることができ、尚且つ障子に付着した水滴が中空状シール部の下面をつたって横枠のタイト材ホルダー内部に滲み込むことを防止できる横タイト材の提供を目的とする。
【課題を解決するための手段】
【０００５】
上記の課題を達成するために請求項１記載の発明による横タイト材は、横枠室外側面に固定する基部と、基部の室外側に設けた中空状シール部とを備え、中空状シール部は、基部から略水平に突出し且つ竪枠に固定した竪タイト材の端面が当接する竪タイト材当接壁と、基部から横枠見込み面と離間する方向に傾斜して突出し且つ横枠見込み面と間隔をおいて対向する横枠見込み面対向壁と、竪タイト材当接壁と横枠見込み面対向壁を繋ぎ且つ上下方向略中央部が室外側に膨らむ室外側壁とを有し、室外側壁の内壁の上下方向略中央部と、室外側壁と竪タイト材当接壁のコーナーにおける内壁と、室外側壁と横枠見込み面対向壁のコーナーにおける内壁とに長手方向に溝を設けてあり、障子横框に圧接したときに室外側壁の上下方向略中央部が谷部となり障子横框と非接触状態となると共に基部に接近することを特徴とする。
【０００６】
請求項２記載の発明による横タイト材は、上記請求項１記載の構成に加え、基部は、横枠見込み面対向壁の付け根より下方に水切り部を有していることを特徴とする。
【発明の効果】
【０００７】
請求項１記載の発明による横タイト材は、中空状シール部の室外側壁の内壁の上下方向略中央部と、室外側壁と竪タイト材当接壁のコーナーにおける内壁と、室外側壁と横枠見込み面対向壁のコーナーにおける内壁とに長手方向に溝を設けてあることで、障子横框に圧接したときに室外側壁の上下方向略中央部が谷部となって柔軟に且つ大きく弾性変形し、横枠と障子横框との隙間を確実にシールすることができ、しかも谷部が障子横框と非接触状態となると共に基部に接近するため、障子横框との摩擦を小さくして障子の開閉力を軽減できる。また中空状シール部の横枠見込み面対向壁が、基部から横枠見込み面と離間する方向に傾斜していることで、横枠見込み面対向壁を水滴が流下しやすいため、タイト材ホルダー内部に水が滲み込み難い。また本発明の横タイト材は、基部から略水平に突出する竪タイト材当接壁を有しており、障子横框に圧接して中空状シール部がつぶれたときでも竪タイト材当接壁は略水平な状態に維持されるので、竪タイト材との突き合わせ部から雨水が室内側に侵入することを防止できる。
【０００８】
さらに請求項２記載の発明による横タイト材は、基部の、横枠見込み面対向壁の付け根より下方に水切り部を有しているので、横枠見込み面対向壁をつたう水滴が水切り部で排除され、タイト材ホルダーに水が滲み込むのをより一層確実に防止できる。
【発明を実施するための最良の形態】
【０００９】
以下、本発明の実施の形態を図面に基づいて説明する。図２は引き違い窓の横断面図であり、図３は同縦断面図である。この引き違い窓は、上枠４、下枠３、及び左右の竪枠５ａ，５ｂを四周枠組みして構成した窓枠１４内に外障子１と内障子２を備え、外障子１と内障子２は、上枠４と下枠３に設けたレール１５に沿って左右に移動し、窓枠１４内で引き違い式に開閉するものである。内外障子１，２は、閉鎖時には戸先框７ａ，７ｂに設けた引き寄せピース１６と、内障子の召し合せ框６ｂに設けたクレセントとグレモン機構からなる施錠装置（図示省略）の作用により、室内側に引き寄せられて移動不能に施錠できる。内外障子の召し合せ框６ａ，６ｂの間と、竪枠５ａ，５ｂと障子戸先框７ａ，７ｂとの間には竪タイト材１０，１１を設けてあり、下枠３と障子下框８ａ，８ｂの間、及び上枠４と障子上框９ａ，９ｂとの間には横タイト材１３を設けてあって、障子閉鎖時には窓枠１４の開口部を内外障子１，２で気密性を保って閉鎖できる。図中の符号１２は、内障子２を開放したときにクレセントが竪枠５ａに衝突するのを防ぐ内障子ストッパーである。
【００１０】
下枠３は、図３に示すように、室内外方向の中間部と室内側壁とにタイト材ホルダー２１が設けてあり、タイト材ホルダー２１に横タイト材１３をそれぞれ室外側に向けて取付けてある。横タイト材１３は、図４に示すように、竪枠５ａ，５ｂ側の端面が竪枠の見込み面２０に当接しており、竪枠５ａ，５ｂに取付けた竪タイト材１１の下端面が横タイト材１３の上面に当接して、竪タイト材１１と横タイト材１３の端部を突き合わせてある。図１（ａ）は、横タイト材１３の障子開状態における拡大した縦断面図であり、横タイト材１３は、図１（ａ）に示すように、下枠３の室外側面に形成したタイト材ホルダー２１に嵌め込んで固定される基部１３ａと、基部の室外側に設けた中空状シール部１３ｂとを備えている。中空状シール部１３ｂは、基部１３ａから略水平に突出し且つ竪枠５ａ，５ｂに固定した竪タイト材１１の下端面が当接する竪タイト材当接壁１３ｃと、基部１３ａから下枠見込み面２３と離間するように上向きに傾斜して突出し且つ下枠見込み面２３と間隔をおいて対向する横枠見込み面対向壁１３ｄと、竪タイト材当接壁１３ｃと横枠見込み面対向壁１３ｄを繋ぎ且つ上下方向略中央部が室外側に膨らむ略半円弧状の室外側壁１３ｅとを有している。そして、室外側壁１３ｅの内壁の上下方向中央部と、室外側壁１３ｅと竪タイト材当接壁１３ｃのコーナーにおける内壁と、室外側壁１３ｅと横枠見込み面対向壁１３ｄとのコーナーにおける内壁とに、長手方向に溝１３ｈを設けてある。また、室外側壁１３ｅの外壁の溝１３ｈと溝１３ｈとの間の位置には、突条１３ｉが２条ずつ長手方向に形成してある。
【００１１】
基部１３ａは、室外側の、横枠見込み面対向壁１３ｄの付け根より下方に、下方に突き出た水切り部１３ｆを設けてある。基部１３ａは半硬質樹脂で形成してあり、中空状シール部１３ｂは軟質樹脂で形成してある。
【００１２】
障子を閉鎖して施錠すると、中空状シール部１３ｂは障子下框８ａ，８ｂの室内側面に室外側壁１３ｅが当接して、図１（ｂ）に示すように弾性変形する。すなわち中空状シール部１３ｂの室外側壁１３ｅが、竪タイト材当接壁１３ｃとのコーナーにおける内壁に形成した溝１３ｈと、横枠見込み面当接壁１３ｄとのコーナーにおける内壁に形成した溝１３ｈが狭まると共に、上下方向略中央部に形成した溝１３ｈが広がることで、上下方向の略中央部が窪むような形に逆向きに変形する。このように中空状シール部１３ｂは、上記のように室外側壁１３ｅの内壁の上下方向中央部と、室外側壁１３ｅと竪タイト材当接壁１３ｃのコーナーにおける内壁と、室外側壁１３ｅと横枠見込み面対向壁１３ｄとのコーナーにおける内壁の三箇所に溝１３ｈを設けてあることで容易に押し潰され、変形量が大きい割りには障子下框８ａ，８ｂ室内側面に当る力が弱くなる。しかも、室外側壁１３ｅの中央部が谷部１３ｇとなって障子下框８ａ，８ｂと非接触状態となると共に基部１３ａに接近するので、中空状シール部１３ｂと下框８ａ，８ｂ室内側面との接触面積が小さくなり、障子が横タイト材１３との摩擦によって開け難くなることを防止できる。
また、中空状シール部１３ｂが障子下框に圧接してつぶれたときでも、図１（ｂ）に示すように、竪タイト材当接壁１３ｃは平らな状態に維持され、竪タイト材１１の端面との間に隙間が開かないことから、竪タイト材と横タイト材の突合せ部からの雨水の浸入を阻止できる。さらに中空状シール部１３ｂは、横枠見込み面対向壁１３ｄが下枠３見込み面と離間するように上向きに傾斜していることで、図１（ｂ）に示すように、障子下框８ａ，８ｂに付着した水滴が横枠見込み面対向壁１３ｄをつたって流下しやすく、さらに横枠見込み面対向壁１３ｄの基部１３ａとの付け根より下方の室外側に水切り部１３ｆを設けているため、横枠見込み面対向壁１３ｄをつたって流下する水滴２２が水切り部１３ｆより下方に落ち、タイト材ホルダー２１内部に水が滲み込むのを確実に防止できる。
【００１３】
上枠４にも、下枠３と同じように室内外方向の中間部と室内側壁とにタイト材ホルダー２１を設けて横タイト材１３を室外向きにそれぞれ取付けてあり、障子閉鎖時に障子上框９ａ，９ｂと上枠４との隙間を横タイト材１３でシールしている。
【００１４】
本発明は、以上に述べた実施形態に限定されない。中空状シール部の室外側壁は、上下方向略中央部が室外側に膨らんで形成されていればよく、例えば図５に示すように、略三角形状の山形に形成してあってもよい。また基部の水切り部は、水が室内側に流れるのを阻止できるものであればよく、突条や溝形状のものであってもよい。また本発明の横タイト材は、引き違い窓に限らず、外動や内動の片引き窓等にも用いることができる。
【図面の簡単な説明】
【００１５】
【図１】下枠に設ける横タイト材の取付状態を示す拡大した縦断面図であって、（ａ）は障子開状態、（ｂ）は障子閉状態を示している。
【図２】本発明の横タイト材を取付けた引き違い窓の横断面図である。
【図３】本発明の横タイト材を取付けた引き違い窓の縦断面図である。
【図４】左側の竪枠と下枠とのコーナー部を室外側から見た斜視図である。
【図５】横タイト材の別の実施形態を示す断面図である。
【符号の説明】
【００１６】
１  外障子
２  内障子
３  下枠（横枠）
４  上枠（横枠）
５ａ，５ｂ  竪枠
６ａ，６ｂ  召し合せ框
７ａ，７ｂ  戸先框
８ａ，８ｂ  下框（横框）
９ａ，９ｂ  上框（横框）
１０，１１  竪タイト材
１３  横タイト材
１３ａ  基部
１３ｂ  中空状シール部
１３ｃ  竪タイト材当接壁、１３ｄ  横枠見込み面対向壁、１３ｅ  室外側壁
１３ｆ  水切り部、１３ｇ  谷部、１３ｈ  溝
２３  下枠見込み面（横枠見込み面）
【図１】
2006225882.tif 000003
【図２】
2006225882.tif 000004
【図３】
2006225882.tif 000005
【図４】
2006225882.tif 000006
【図５】
2006225882.tif 000007